(57)【特許請求の範囲】
【請求項１】
それぞれが斜め上下方向に配置された複数本の方立と、それぞれが左右に隣り合う方立同士の間に水平方向に配置された複数本の無目と、左右に隣り合う方立と斜め上下に隣り合う無目とによりその四辺を支持されたパネルとを備えるトップライトに、上記パネルの上面に降った雨水を下方に排出すべく設けられ、上記無目の断面の上端部で長さ方向端縁と、上記方立の断面の上端部の側縁との間に隙間をあけて、これら断面の上端部の長さ方向端縁と側縁との間に排水溝を構成すると共に、この排水溝の底面の一部をシール材により覆ったトップライトの排水部に於いて、上記無目の端部で上記排水溝の底面よりも下側部分に固定されて、その上面の一部により上記シール材と共に上記排水溝の底面を構成する係止ブラケットと、この係止ブラケットの上面に形成された、上記排水溝の幅寸法よりも小さな幅寸法を有し、この排水溝の底面の一部から上方に突出した係止部と、弾性材により造られたカバーとを備え、このカバーは、上記排水溝に進入可能な幅寸法並びにこの排水溝を介して隣り合うパネル同士の間に掛け渡し自在な長さ寸法を有し、長さ方向両端部に上記パネルに向け曲がっている曲がり部を設けた覆板と、この覆板の下面中間部に設けられ、上記係止部に係止自在な被係止部と、上記覆板の長さ方向両端部にそれぞれ設けられた切り欠き部とを備えたものであり、上記カバーの覆板により上記排水溝の底面を構成するシール材を覆った状態で上記係止部に上記被係止部を係止する事により、上記カバーを上記無目に対し固定して、上記各切り欠き部により上記排水溝を通じての雨水の排出を可能にしつつ、上記シール材を紫外線から保護する事を特徴とするトップライトの排水部。
【発明の詳細な説明】
【０００１】
【発明の属する技術分野】
この発明は、トップライトを構成するパネルの上面に降った雨水を下方に排出する為の排水部の改良に関し、排水部を構成する排水溝の底面に露出したシール材が紫外線に曝らされて劣化する事を防止するものである。
【０００２】
【従来の技術】
ビルディングの吹き抜け部等採光を要する空間部分に、ガラスパネル或はアクリル板等の光透過性パネルを主体に構成した、トップライトと呼ばれる天井面を設ける場合がある。図１７は、この様なトップライトの１例を示している。このトップライト１は、複数枚のガラスパネル２、２と、複数本ずつの方立３、３と、複数本ずつの無目４、４とを備える。アルミニウム合金の押し出し型材である、上記各方立３、３は、それぞれが斜め上下方向に、互いに平行に配置している。又、やはりアルミニウム合金の押し出し型材である、上記各無目４、４は、それぞれが左右に隣り合う方立３、３同士の間に、水平方向に配置している。更に、上記各ガラスパネル２、２は、左右に隣り合う方立３、３と斜め上下に隣り合う無目４、４とによりその四辺を支持している。これら方立３、３及び無目４、４によりガラスパネル２、２の四辺を支持した状態で、これら各方立３、３及び無目４、４の上面は、上記各ガラスパネル２、２の上面よりも上方に突出する。
【０００３】
上述の様に構成されるトップライト１には、上記各ガラスパネル２、２の上面に降った雨水を上記各無目４、４の上縁部に堰き止める事なく、下方に流下させる為の排水部を設ける必要がある。この為には、図１７のＡ部に示す様に、無目４の長さ方向端縁と方立３の側縁との間に排水溝５を設ける必要がある。この排水溝５は、無目４の断面の上端部、即ち上記各ガラスパネル２、２の上面よりも上方に突出している部分の長さ方向端縁と、上記方立の断面の上端部、即ち上記各ガラスパネル２、２の上面よりも上方に突出している部分の側縁との間に隙間をあける事により構成する。この様な排水溝５の底面両端部は、上下に隣り合うガラスパネル２、２により構成するが、これら両ガラスパネル２、２の間部分には、コーキング材の如きシール材６を充填して、この間部分を塞ぐ。
【０００４】
上述の様な排水溝５を備えたトップライト１の上面に降った雨水は、上記各ガラスパネル２、２の上面を流れて、当該ガラスパネル２の下辺を支持した無目４の上縁にまで達する。そして、この無目４の上縁に沿って上記排水溝５に向け流れ、この排水溝５から下側に隣り合うガラスパネル２の上面に流下する。この様にして、次々とガラスパネル２、２の上面に沿って流下し、最下段のガラスパネル２の上面下端部にまで達した雨水は、このガラスパネル２の下端部上面と最下段の無目４の上縁部との間に充填したシール材６ａの上面を流れ、下方に排出される。この為に、上記シール材６ａの上面は傾斜させて、上記ガラスパネル２の上面と無目４の上面とを滑らかに連続させている。
【０００５】
【発明が解決しようとする課題】
上述の様なトップライトの排水部の場合、排水機能自体には特に問題はないが、排水溝５の底面中間部を構成するシール材６の耐久性の点で問題を生じる。即ち、トップライト１の上面に露出したシール材６の上面は、直接太陽光に晒される為、この太陽光中の紫外線により次第に劣化（硬化収縮）する。この結果、上記シール材６のシール機能が低下し、上記排水溝５の底面の水密性が悪化して、この排水溝５部分を流れる雨水がトップライト１の下面に漏れ（雨漏りが発生し）てしまう。
本発明は、この様な雨漏りの原因となるシール材６の劣化を防止すべく考えたものである。
【０００６】
【課題を解決するための手段】
本発明のトップライトの排水部は、前述の図１７に示したトップライトの排水部と同様に、それぞれが斜め上下方向に配置された複数本の方立と、それぞれが左右に隣り合う方立同士の間に水平方向に配置された複数本の無目と、左右に隣り合う方立と斜め上下に隣り合う無目とによりその四辺を支持されたパネルとを備えるトップライトに、上記パネルの上面に降った雨水を下方に排出すべく設ける。
この様に雨水を下方に排出すべく、上記無目の断面の上端部で長さ方向端縁と、上記方立の断面の上端部の側縁との間に隙間をあけて、これら断面の上端部の長さ方向端縁と側縁との間に排水溝を構成する。そして、この排水溝の底面の一部をシール材により覆っている。
【０００７】
特に、本発明のトップライトの排水部に於いては、係止部を備えた係止ブラケットとカバーとを備える。
このうちの係止ブラケットは、上記無目の端部で上記排水溝の底面よりも下側部分に固定して、その上面の一部により上記シール材と共に上記排水溝の底面を構成する。
又、上記係止部は、上記係止ブラケットの上面に形成しており、上記排水溝の幅寸法よりも小さな幅寸法を有し、この排水溝の底面の一部から上方に突出している。
更に、上記カバーは、シリコン樹脂、シリコンゴム等、紫外線により劣化しにくい弾性材により造ったもので、覆板と被係止部とを有する。このうちの覆板は、上記排水溝に進入可能な幅寸法並びにこの排水溝を介して隣り合うパネル同士の間に掛け渡し自在な長さ寸法を有し、長さ方向両端部に上記パネルに向け曲がっている曲がり部を設けている。又、上記被係止部は、上記覆板の下面中間部に設けており、上記係止部に係止自在である。更に、上記覆板の長さ方向両端部には、それぞれ切り欠き部を備えている。
本発明のトップライトの排水部は、上記カバーの覆板により上記排水溝の底面の一部を構成するシール材を覆った状態で上記係止部に上記被係止部を係止する事により、上記カバーを上記無目に対し固定している。
【０００８】
【作用】
上述の様に構成される本発明のトップライトの排水部の場合には、排水溝を通じての雨水の排出を可能にしつつ、この排水溝の底面の一部を構成するシール材を紫外線から保護できる。即ち、上側のパネルの下辺を支持した無目の上縁にまで達し、この無目の上縁に沿って上記排水溝に向け流れた雨水は、覆板の上端部に形成した切り欠き部を通じて上記排水溝内に入り込み、この排水溝内を流下してから、上記覆板の下端部に形成した切り欠き部を通じて、下側のパネルの上面に流下する。従って、カバーを設ける事により、トップライトの上面に降った雨水の排出が行なわれなくなる事はない。
一方、上記排水溝の上方にはカバーが存在し、太陽光を遮っている。従って、排水溝の底面の一部を構成する上記シール材が、直接太陽光に晒される事はない。この結果、上記シール材が劣化する事を防止して、このシール材によるシール性能を、長期間に亙って維持できる。尚、上記カバーは、或る程度の弾性さえあれば、シール性を有する必要はないので、紫外線により劣化しにくい材料を選択できる。又、仮に劣化したとしても、雨漏り等、トップライトの故障に結び付く事はない。
【０００９】
【発明の実施の形態】
図１〜１３は、本発明の実施の形態の第１例を示している。本発明の排水部を組み込むトップライト１は、図１に示す様に、それぞれが斜め上下方向に配置された複数本の方立３、３と、それぞれが左右に隣り合う方立３、３同士の間に水平方向に配置された複数本の無目４、４と、左右に隣り合う方立３、３と斜め上下に隣り合う無目４、４とによりその四辺を支持されたガラスパネル２、２とを備える。本発明の排水部は、この様なトップライト１の一部で図１の円Ａ、Ａで示した、無目４、４の長さ方向端縁と方立３、３の中間部側面との間部分に、上記ガラスパネル２、２の上面に降った雨水を上記各無目４、４を越えて下方に排出すべく設ける。この様に雨水を下方に排出すべく、上記各無目４、４の断面の上端部（トップライト１の上面側となる端部）で長さ方向端縁と、上記方立３、３の断面の上端部の側縁との間に、図１、２、４、５に示す様に隙間をあけている。
【００１０】
この様な隙間をあけるべく、上記各無目４、４の長さ方向端部を方立３、３の中間部に連結している部分の構造に就いて、先ず説明する。図示の例では、上記各方立３、３の中間部で上記各無目４、４の端部を結合支持すべき部分に支持ピン７（図５参照）を、各方立３、３の側面から突出する状態で固定している。そして、これら各支持ピン７の両端部を、上記各無目４、４の下面に開口した支持溝８（図３、６、１５、１７参照）の奥部にがたつきなく挿入している。この様に上記各支持ピン７を上記支持溝８の奥部に挿入した状態で、上記各無目４、４の下面（トップライト１の下面側となる面）が、上記各方立３、３の下端部（トップライト１の下面側となる端部）両側に突出した突片９、９の上端縁に当接する（図５参照）。従って、上述の様に上記各支持ピン７、７を上記支持溝８に奥部に挿入した状態では、上記各無目４、４がこれら各支持ピン７、７を中心に回転する事はない。又、この状態で上記各無目４、４の重量は、上記各支持ピン７を介して、上記各方立３、３が支承する。
【００１１】
更に、上記各支持ピン７を上記支持溝８の奥部に挿入した状態でこれら各支持ピン７の下側（図３〜４の下側）には、図示しない浮き上がり防止片を移動させて、これら各支持ピン７が上記支持溝８から抜け出る事を防止する。尚、上記浮き上がり防止片は、上記支持溝８の両内側面開口寄り部分に形成した１対の係止溝１０、１０（図３、６、１５参照）に、上記各無目４、４の長さ方向に亙る変位のみ自在に係合している。上記各支持ピン７を上記支持溝８の奥部に挿入する際には、この浮き上がり防止片を上記各無目４、４の長さ方向中央寄り部分に退避させておき、上記各支持ピン７を上記支持溝８の奥部に挿入後、上記浮き上がり防止片を上記各無目４、４の端部に向け、上記各支持ピン９の下側部分にまで移動させる。この結果、上記各支持ピン７が、上記支持溝８の奥面と浮き上がり防止片との間で挟持されて、上記各無目４、４が上下方向に変位する事がなくなる。
【００１２】
又、上記各方立３、３は、図４〜５に示す様に、それぞれがアルミニウム合金の押し出し型材である、方立本体１１と抑え板１２とを、ねじ１５と結合片１６とにより結合する事により構成している。そして、前記各ガラスパネル２、２の左右両端縁部を上記方立本体１１と抑え板１２との間で、パッキング１７、１７及びシール材１８、１８を介して挟持し、これら各ガラスパネル２、２の左右両端縁部を上記各方立３、３に支持している。一方、上記各無目４、４は、図３〜５に示す様に、やはりそれぞれがアルミニウム合金の押し出し型材である、無目本体１３と抑え板１４とを、図示しないねじと結合片とにより結合する事により構成している。そして、前記各ガラスパネル２、２の上下両端縁部を上記無目本体１３と抑え板１４との間で、パッキング１７、１７及びシール材３７、３７を介して挟持し、これら各ガラスパネル２、２の上下両端縁部を上記各方無目４、４に支持している。
【００１３】
上述の様にして上記各ガラスパネル２、２の上下左右両端縁部を支持しているトップライト１に排水部を構成する排水溝５を構成する為、上記各無目４、４を構成する無目本体１３と抑え板１４とのうち、抑え板１４の長さ寸法を無目本体１３の長さ寸法よりも小さくしている。そして、上記無目本体１３の長さ方向両端部を、上記抑え板１４の長さ方向両端縁部よりも軸方向に突出させている。この結果、上記各無目４、４の長さ方向両端部の上面の高さ位置が、上記抑え板１４がない分だけ低くなり、この抑え板１４の長さ方向端縁と、上記方立３を構成する抑え板１２の側縁との間に、前記排水部を構成する為の隙間が形成される。そして、この隙間部分を通じてトップライト１の上面に降った雨水を下方に排出自在とすべく、上記隙間の下側部分をシール材６により塞いで、この隙間部分を排水溝５としている。この排水溝５の底面を上下に隣り合うガラスパネル２、２の上面と同一平面にすべく、上記シール材６の上面は、上記隙間を介して隣り合うガラスパネル２、２の上面とほぼ同一平面としている。
【００１４】
特に、本発明のトップライトの排水部に於いては、上記排水溝５の下側に、図７〜１０に示す様な形状を有する係止ブラケット１９を固定し、この係止ブラケット１９に係止した、図１１〜１３に示す様な形状を有するカバー２０により、上記排水溝５を覆っている。このうちの係止ブラケット１９は、アルミニウム合金の押し出し型材を上記排水溝５の幅寸法よりも大きな長さ寸法に切断し、一部をトリミング（切除）する事により形成している。
【００】
即ち、上記係止ブラケット１９は、上記各無目４、４の断面の中央部上端面（トップライト１の上面側となる面）にがたつきなく突き当て自在な筒状の取り付け基部２１と、この取り付け基部２１の長さ方向中央部上面に設けられた係止部２２とを備える。この係止部２２は、それぞれが倒立Ｌ字形で、上記取り付け基部２１の上面中央両側縁部に互いに逆向きに突設された１対の係止片２３、２３により、あり溝状に構成する。又、上記取り付け基部２１を構成する下板部２４の端部には長孔２５を、同じく上板部２６の端部でこの長孔２５と整合する位置には円孔２７を、それぞれ形成している。これら長孔２５と円孔２７とは、上記係止ブラケット１９を上記各無目４、４に固定するねじ２８、２８を挿通する為のもので、上記長孔２５はこのねじ２８、２８の杆部のみを挿通自在で、上記円孔２７はこれら各ねじ２８、２８の杆部だけでなく頭部も挿通自在である。
【００１６】
この様な係止ブラケット１９、１９はそれぞれ、上記円孔２７及び長孔２５を挿通したねじ２８、２８により、上記各無目４、４の端部上面で上記排水溝５の底面よりも下側部分に固定している。この固定状態では、上記各係止ブラケット１９、１９の取り付け基部２１の下面と上記各無目４、４の中央部上面とが凹凸係合し、これら各係止ブラケット１９、１９が上記各ねじ２８、２８を中心に回転する事がなくなる。この様に上記各係止ブラケット１９、１９を上記各無目４、４の端部上面に固定した状態で、これら各係止ブラケット１９、１９の取り付け基部２１の中間部上面が、上下に隣り合うガラスパネル２、２の上下両端縁同士の間を塞ぐシール材６、６と共に、上記排水溝５の底面を構成する。又、この状態で上記取り付け基部２１の上面中央部に形成した係止部２２は、上記配水溝５の長さ方向中央部で幅方向中央部に位置し、この排水溝５の底面から上方に突出する。この為に、上記係止部２２を構成する係止片２３、２３の幅寸法は、上記排水溝５の幅寸法よりも十分小さくしている。
【００１７】
上述の様にして排水溝５の底面中央部に固設した係止部２２に係止して、この排水溝５を覆う、前記カバー２０は、シリコン樹脂、シリコンゴム等、紫外線により劣化しにくい弾性材を射出成形する事により、全体を一体に造っている。このカバー２０は、上記排水溝５を覆う為の覆板２９と、この覆板２９を上記係止部２２に係止する為の被係止部３０とを有する。
【００１８】
このうちの覆板２９は、上記排水溝５に進入可能とすべく、この排水溝５の幅寸法よりも少しだけ小さな幅寸法と、この排水溝５を介して上下に隣り合う１対のガラスパネル２、２同士の間に掛け渡し自在とすべく、これら１対のガラスパネル２、２の上下端縁同士の間隔よりも大きな長さ寸法を有する。又、上記覆板２９の長さ方向（組み付け状態で上下方向）両端部には、それぞれ上記各ガラスパネル２、２に向け円弧状に曲がった、曲がり部３１、３１を設けている。図示の例では、これら各曲がり部３１、３１は、先端縁に向かう程厚さ寸法が薄くなる様にしている。従って、組み付け状態で上記各曲がり部３１、３１の先端縁が上記各ガラスパネル２、２の上面に突き当たっても、これら各曲がり部３１、３１の先端部が容易に弾性変形して、構成各部に過大な力が加わる事を防止する。又、上記覆板２９の長さ方向両端部に位置する上記各曲がり部３１、３１の先端縁中央部には、それぞれ切り欠き部３２、３２を形成して、これら各曲がり部３１、３１の先端部を二又に形成している。
【００１９】
更に、前記被係止部３０は、上記覆板２９の下面中間部に、この下面から突出する状態で形成している。この被係止部３０は、前記係止ブラケット１９の係止部２３に係止自在とすべく、全体を茸状に形成している。即ち、この被係止部３０は、円柱状の連結部３３と円錐台状の引っ掛け部３４とから成る。このうちの連結部３３は、前記係止部２２を構成する１対の係止片２３、２３の先端縁同士の間に進入自在な外径を有する。一方、上記引っ掛け部３４の基端部は、上記１対の係止片２３、２３の先端縁同士の間を通過不能な（自由状態での）外径を有する。尚、上記覆板２９の下面には補強リブ３５、３５を形成して、この覆板２９の曲げ強度を確保している。
【００２０】
本発明のトップライトの排水部は、上述の様な形状を有するカバー２０、２０を、前記各排水溝５、５部分に固定している。即ち、これら各カバー２０、２０の覆板２９により上記各排水溝５、５の底面を覆った状態で、上記係止部２２に上記被係止部３０を係止し、上記各カバー２０、２０を上記各無目４、４に対し固定している。この様に上記係止部２２に上記被係止部３０を係止する作業は、この被係止部３０を構成する引っ掛け部３４を弾性変形させつつ、上記係止部２２を構成する１対の係止片２３、２３同士の間に押し込む事により行なう。
【００２１】
上述の様に構成される本発明のトップライトの排水部の場合には、上記各排水溝５、５を通じての雨水の排出を可能にしつつ、これら各排水溝５、５の底面の一部を構成するシール材６、６を紫外線から保護できる。即ち、上側のガラスパネル２、２の上面を流れ、これら各ガラスパネル２、２の下辺を支持した無目４、４の上縁にまで達した雨水は、これら各無目４、４の上縁に沿って上記各排水溝５、５に向けて流れる。そして、これら各排水溝５、５の上側に達した雨水は、これら各排水溝５、５を覆っている各覆板２９、２９の上端部に形成した各切り欠き部３２、３２を通じて上記各排水溝５、５内に入り込む。そして、これら各排水溝５、５内を流下してから、上記各覆板２９、２９の下端部に形成した各切り欠き部３２、３２から、下側のガラスパネル２、２の上面に流下する。従って、上記各カバー２０、２０を設ける事により、トップライトの上面に降った雨水の排出が妨げられる事はない。
【００２２】
一方、上記各排水溝５、５の上方にはカバー２０、２０が存在し、太陽光を遮っている。従って、上記各排水溝５、５の底面の一部を構成する前記各シール材６、６が、直接太陽光に晒される事はない。この結果、これら各シール材６、６が劣化する事を防止して、これら各シール材６、６によるシール性能を、長期間に亙って維持できる。尚、上記各カバー２６、２６は、或る程度の弾性さえあれば良く、シール性を有する必要はない。従って、シール性能を考慮せずに、紫外線により劣化しにくい材料を選択できる。又、仮に劣化したとしても、雨漏り等、トップライトの故障に結び付く事はない。
【００２３】
次に、図１４〜１６は、本発明の実施の形態の第２例を示している。上述した第１例の場合が、トップライト１を構成するガラスパネル２が単層（１枚ガラス）であったのに対して、本例の場合には、２枚のガラスパネル２、２をスペーサ３６及び封着剤を介して厚さ方向に重ね合わせて成る、複層ガラスにより、トップライトを構成している。これに合わせて本来の場合には、無目４、４の端部にカバー２０、２０（図２〜３参照）を固定する為の係止ブラケット１９ａ、１９ａの取り付け基部２１ａの厚さ寸法を大きくしている。この様に厚さ寸法を大きくする事により、複層ガラスを使用した場合でも、上記取り付け基部２１ａの上面により排水溝５の一部を構成自在としている。この様な複層ガラスを使用したトップライトの排水溝５部分にカバーを装着すれば、排水溝５の底面を構成するシール材６、６の他、上記封着剤も、紫外線から保護できる。その他の構成及び作用は、上述した第１例の場合と同様である。
【００２４】
【発明の効果】
本発明のトップライトの排水部は、以上に述べた通り構成され作用して、排水溝の底面の一部を構成するシール材（及び封着剤）が紫外線により劣化する事を防止するので、長期間に亙って雨漏り等の故障の発生を防止できる。
【図面の簡単な説明】
【図１】本発明の実施の形態の第１例を示す、排水部を設けるトップライトの上面を、この上面に対して直角方向から見た平面図。
【図２】図１のＡ部拡大図。
【図３】図２のＢ−Ｂ断面図。
【図４】カバーを省略した状態で示す、図２と同様の図。
【図５】図４のＣ−Ｃ断面図。
【図６】図５のＤ−Ｄ断面図。
【図７】係止ブラケットの斜視図。
【図８】同じく平面図。
【図９】同じく側面図。
【図１０】同じく端面図。
【図１１】カバーを、組み付け状態の方向で図１０と同方向から見た側面図。
【図１２】図１１の下方から見た底面図。
【図１３】カバーを下方から見た斜視図。
【図１４】本発明の実施の形態の第２例を示す、図５と同様の図。
【図１５】同じく図６と同様の図。
【図１６】同じく係止ブラケットの斜視図。
【図１７】本発明の対象となる排水部を備えたトップライトの部分斜視図。
【符号の説明】
１    トップライト
２    ガラスパネル
３    方立
４    無目
５    排水溝
６、６ａ  シール材
７    支持ピン
８    支持溝
９    突片
１０    係止溝
１１    方立本体
１２    抑え板
１３    無目本体
１４    抑え板
１５    ねじ
１６    結合片
１７    パッキング
１８    シール材
１９、１９ａ  係止ブラケット
２０    カバー
２１、２１ａ  取り付け基部
２２    係止部
２３    係止片
２４    下板部
２５    長孔
２６    上板部
２７    円孔
２８    ねじ
２９    覆板
３０    被係止部
３１    曲がり部
３２    切り欠き部
３３    連結部
３４    引っ掛け部
３５    補強リブ
３６    スペーサ
３７    シール材
【図１】
0003723292.tif 000002
【図２】
0003723292.tif 000003
【図３】
0003723292.tif 000004
【図４】
0003723292.tif 000005
【図５】
0003723292.tif 000006
【図６】
0003723292.tif 000007
【図７】
0003723292.tif 000008
【図８】
0003723292.tif 000009
【図９】
0003723292.tif 000010
【図１０】
0003723292.tif 000011
【図１１】
0003723292.tif 000012
【図１２】
0003723292.tif 000013
【図１３】
0003723292.tif 000014
【図１４】
0003723292.tif 000015
【図１５】
0003723292.tif 000016
【図１６】
0003723292.tif 000017
【図１７】
0003723292.tif 000018